(57)【要約】【課題】下部ダクトが短くても騒音抑制効果を高める。【解決手段】熱交換器と送風ファンが配置され、上面に吹出開口１１１が設けられ下面に吸込開口１１２が設けられ、壁内に配置される室内機１１０と、該室内機１１０の吹出開口１１１と上部グリル１３０との間を接続する上部ダクト１２０と、前記室内機の吸込開口１１２と下部グリル１６０との間を接続する下部ダクト１４０とを備える。その下部ダクト１４０は、横断面が長辺１４４と短辺１４５を有する直方体形状である。その下部ダクト１４０の内部を仕切板１４３によって短辺１４５の方向に２つの空気流通路１４０Ａ，１４０Ｂに分割し、各空気流通路１４０Ａ，１４０Ｂの内壁に吸音材１４３をそれぞれ貼付する。【選択図】図３
2015187522.tif 000002
【特許請求の範囲】
【請求項１】
熱交換器と送風ファンが配置され、上部と下部のいずれか一方に吹出開口が設けられ、前記上部と下部のいずれか他方に吸込開口が設けられ、壁の背面側に配置される室内機と、該室内機の前記吹出開口と前記吸込開口のいずれか一方と前記壁に設けられた上部グリルとの間を前記壁の背面側において接続する上部ダクトと、前記室内機の前記吹出開口と前記吸込開口のいずれか他方と前記壁に設けられた下部グリルとの間を前記壁の背面側において接続する下部ダクトとを備え、前記上部ダクトおよび前記下部ダクトの内壁にそれぞれ吸音材が貼付されたダクト型空気調和機において、
前記下部ダクトは、上下方向の空気流通路が複数になるように内部が複数個に分割され、該複数個に分割されたそれぞれの前記空気流通路の内壁に前記吸音材が貼付されていることを特徴とするダクト型空気調和機。
【請求項２】
請求項１に記載のダクト型空気調和機において、
前記下部ダクトは、上下方向の長さが前記上部ダクトよりも短く設定されていることを特徴とするダクト型空気調和機。
【請求項３】
請求項１又は２に記載のダクト型空気調和機において、
前記下部ダクトの横断面は長辺と短辺を有する直方体形状であり、前記複数の空気流通路は、前記短辺の方向に複数個に分割されることで形成されていることを特徴とするダクト型空気調和機。
【請求項４】
請求項１、２又は３に記載のダクト型空気調和機において、
前記吸音材は、グラスウールからなることを特徴とするダクト型空気調和機。
【発明の詳細な説明】
【技術分野】
【０００１】
本発明は、ダクト型空気調和機に関する。
【背景技術】
【０００２】
屋内の壁の背面側（屋内に面する壁面の反対側）に縦姿勢で埋込設置されるダクト型空気調和機は、家屋の新築時あるいはリフォーム時に構築される。このダクト型空気調和機は、屋内の壁の背面側に熱交換器と送風ファンを備えた室内機を配置するとともに、その室内機の上方に上部ダクトを配置し、下方に下部ダクトを配置して、上部ダクトの上端を壁面の上方に取り付けた吹出グリルに接続し、下部ダクトの下端を同じ壁面の下方に取り付けた吸込グリルに接続して、構築されている。上部ダクト内および下部ダクト内にはそれぞれ吸音材が貼付されている。
【０００３】
そして、室内機のメンテナンスのために、室内機が配置される高さの壁にメンテナンス扉を形成して、このメンテナンス扉を開くことで、壁の背面側の室内機の例えば電装品箱のメンテナンスができるようにしていた。
【０００４】
その室内機の床面からの高さは、作業員がメンテナンス作業を行い易いように、作業員のほぼ胸位置の高さに設定される。前記した吹出グリルはできるだけ高い位置に配置され、吸込グリルはできるだけ低い位置に配置されるが、室内機の配置高さは、上記したメンテナンス性の確保の観点から、その吹出グリルと吸込グリルの中間位置よりも下側になる。
【０００５】
このため、上部ダクトの長さに比べて下部ダクトの長さが短くなるので、室内機の送風ファンの騒音が、下部ダクト内に貼付した吸音材で十分に吸収されないうちに吸込口から洩れ出る問題があった。壁の背面側に設置するダクト型空気調和機については、特許文献１に記載がある。
【先行技術文献】
【特許文献】
【０００６】
【特許文献１】特開平０７−２３３９６６号公報
【発明の概要】
【発明が解決しようとする課題】
【０００７】
下部ダクトから漏れ出る騒音を抑制するには、内部に吸音材を貼付した下部ダクトを長くすればよいが、メンテナンスの関係からその長さには限界があった。
【０００８】
本発明の目的は、下部ダクトの長さが短くても騒音抑制効果を飛躍的に高めることができるようにしたダクト型空気調和機を提供することである。
【課題を解決するための手段】
【０００９】
上記目的を達成するために、請求項１にかかる発明は、熱交換器と送風ファンが配置され、上部と下部のいずれか一方に吹出開口が設けられ、前記上部と下部のいずれか他方に吸込開口が設けられ、壁の背面側に配置される室内機と、該室内機の前記吹出開口と前記吸込開口のいずれか一方と前記壁に設けられた上部グリルとの間を前記壁の背面側において接続する上部ダクトと、前記室内機の前記吹出開口と前記吸込開口のいずれか他方と前記壁に設けられた下部グリルとの間を前記壁の背面側において接続する下部ダクトとを備え、前記上部ダクトおよび前記下部ダクトの内壁にそれぞれ吸音材が貼付されたダクト型空気調和機において、前記下部ダクトは、上下方向の空気流通路が複数になるように内部が複数個に分割され、該複数個に分割されたそれぞれの前記空気流通路の内壁に前記吸音材が貼付されていることを特徴とする。
請求項２にかかる発明は、請求項１に記載のダクト型空気調和機において、前記下部ダクトは、上下方向の長さが前記上部ダクトよりも短く設定されていることを特徴とする。
請求項３にかかる発明は、請求項１又は２に記載のダクト型空気調和機において、前記下部ダクトの横断面は長辺と短辺を有する直方体形状であり、前記複数の空気流通路は、前記短辺の方向に複数個に分割されることで形成されていることを特徴とする。
請求項４にかかる発明は、請求項１、２又は３に記載のダクト型空気調和機において、前記吸音材は、グラスウールからなることを特徴とする。
【発明の効果】
【００１０】
本発明によれば、下部ダクトは、上下方向の空気流通路が複数になるように内部が複数個に分割され、該複数個に分割されたそれぞれの空気流通路の内壁に吸音材が貼付されているので、その吸音面積が増大するため、下部ダクトの長さが短くても騒音抑制効果が大きくなる。また、下部ダクトの長さを短かくしても騒音を抑制できることから、室内機を十分下方に配置することができるので、そのメンテナンス性を高めることが可能となる。また、下部ダクトの長さを短くすることができるので、その分だけ上部ダクトの上下方向の長さを長くできることから、上部ダクトにおける騒音抑制効果も大きくなる。
【図面の簡単な説明】
【００１１】
【図１】本発明の実施例のダクト型空気調和機の正面図である。
【図２】図１のダクト型空気調和機の下部ダクトの斜視図である。
【図３】図１のダクト型空気調和機の下部ダクトの分解斜視図である。
【発明を実施するための形態】
【００１２】
図１に本発明の実施例のダクト型空気調和機１００を示す。本実施例のダクト型空気調和機１００は、天井２００と床面３００の間の壁４００の背面側に配置される。なお、図１は壁４００の背面側に配置されたダクト型空気調和機１００を壁４００の室内側から見た状態を示している。ダクト型空気調和機１００は、熱交換器と送風ファンが筐体内に配置された室内機１１０と、その室内機１１０の上面の吹出開口１１１に接続されるフレキシブルな吹出用の上部ダクト１２０と、その上部ダクト１２０の上端が接続され壁４００の上部に取り付けられる上部グリル（吹出グリル）１３０と、室内機１１０の下面の吸込開口１１２に接続される吸込用の下部ダクト１４０と、その下部ダクト１４０の下端に接続されるアダプタ１５０（図２、図３参照）と、壁４００の下部に取り付けられそのアダプタ１５０に接続される下部グリル（吸込グリル）１６０とを備える。図１に点線で示した４１０は壁４００に設けられたメンテナンス扉であり、室内機１１０に対応する高さに設けられている。上部ダクト１２０および下部ダクト１４０の内壁には、それぞれ吸音材（例えばグラスウール）が貼付されているが、下部ダクト１４０の吸音材については後に詳述する。
【００１３】
アダプタ１５０は、図２、図３に示すように、下部グリル１６０から水平方向に吸い込んだ空気を垂直上方に導くために、下部グリル１６０への取付側（正面）と下部ダクト１４０への取付側（上面）がそれぞれ開口した形状に形成されている。このアダプタ１５０は必要に応じて設けられる。
【００１４】
下部ダクト１４０は、横断面が長辺１４４と短辺１４５を有する直方体形状であり、正面の上部側には、着脱可能なメンテナンス蓋１４１が取り付けられている。また、内部には横断面を短辺１４５の方向に２分割するように縦姿勢配置の仕切板１４２が設けられ、これにより短辺１４５の方向が２分割された空気流通路１４０Ａ，１４０Ｂが形成されている。２分割された空気流通路１４０Ａ，１４０Ｂには、その内壁の全面に吸音材１４３が貼付されている。なお、図２では図示が不明瞭になるおそれがあるので、この吸音材１４３の図示を省略している。また、仕切板１４２におけるメンテナンス蓋１４１に対応する部分（図示せず）は切除され、その切除部分に電装品箱（図示せず）が配置されてもよい。
【００１５】
このように、下部ダクト１４０の２分割された空気流通路１４０Ａ，１４０Ｂの内壁全面に吸音材１４３を貼付することにより、下部ダクト１４０を２分割せずにその内壁全面に吸音材を貼付した場合と比べて、その吸音材の貼付面積が大幅に増大する。
【００１６】
たとえば、下部ダクト１４０が横断面正方形の場合では、仕切板１４２の両面に貼付する吸音材１４３の面積が、横断面正方形の下部ダクト１４０の内壁に貼付する吸音材の面積の５０％に相当するので、仕切板１４２を設けない場合に比べて吸音材１４３の貼付面積が１５０％に増大する。下部ダクト１４０を図２、図３に示すように横長断面に形成しその長手方向に仕切板１４２を設けた場合は、吸音材の貼付面積は仕切板１４２がない場合に対して２００％近くにまでも増大させることができる。
【００１７】
したがって、下部ダクト１４０の上下方向の長さが短い場合であっても、その内壁への吸音材１４３の貼付面積を飛躍的に増大させることができるので、その吸音効果が増大し、室内機１１０の送風ファンで発生する騒音を効果的に抑制することができる。また、下部ダクト１４０の長さを短かくすることができることから、室内機１１０を十分下方に配置することができるので、その室内機１１０のメンテナンス性を高めることが可能となる。また、下部ダクト１４０の長さを短くすることができるので、その分だけ上部ダクト１２０の上下方向の長さを長くできることから、吸音材を内壁に貼付した上部ダクト１２０における騒音抑制効果も大きくなる。
【００１８】
なお、以上の実施例では、上部グリル１３０を吹出用として、下部グリル１５０を吸込用としてそれぞれ配置した例について説明したが、室内機１１０の吹出開口１１１と吸込開口１１２を上下逆に設けた場合は、上部グリル１３０は吸込用となり、下部グリル１５０は吹出用となる。この場合でも、下部ダクト１４０は同様に短くなるので、その下部ダクト１４０について、同様に仕切板１４２を設けて吸音材１４３を貼付すれば、同様な騒音抑制効果を得ることができる。
【００１９】
また、仕切板１４２によって下部ダクト１４０の内部に形成する空気流通路は、２個に限られることはなく、３個以上であってもよく、その数が多いほど吸音材１４３の貼付面積が大きくなるので、吸音効果が増大する。
【符号の説明】
【００２０】
１００：ダクト型空気調和機、１１０：室内機、１１１：吹出開口、１１２：吸込開口、１２０：上部ダクト、１３０：上部グリル、１４０：下部ダクト、１４１：メンテナンス蓋、１４２：仕切板、１４３：吸音材、１４４：長辺、１４５：短辺、１５０：アダプタ、１６０：下部グリル
２００：天井
３００：床面
４００：壁、４１０：：メンテナンス扉
【図１】
2015187522.tif 000003
【図２】
2015187522.tif 000004
【図３】
2015187522.tif 000005